(57)【要約】  空気調和装置の室外機は、ファン室と機械室とが形成され、仕切板と、電装品ユニットと、を備え、仕切板には、上部にホルダーを受ける平面状の受け面部が設けられ、ホルダーには、下向きに突出した位置決め突起が設けられ、受け面部には、位置決め突起が差し込まれる切欠き部が形成され、受け面部の切欠き部に至る端部には、受け面部から下方に傾斜して位置決め突起を切欠き部に案内する傾斜面部が設けられた。
2018104990.tif 000002
【特許請求の範囲】
【請求項１】
ファンが設けられたファン室と圧縮機が設けられた機械室とが形成され、
前記ファン室と前記機械室とに区画する仕切板と、
電装品を搭載した制御基板および前記制御基板を保持して前記仕切板の上部に固定されるホルダーを有する電装品ユニットと、
を備え、
前記仕切板には、上部に前記ホルダーを受ける平面状の受け面部が設けられ、
前記ホルダーには、下向きに突出した位置決め突起が設けられ、
前記受け面部には、前記位置決め突起が差し込まれる切欠き部が形成され、
前記受け面部の前記切欠き部に至る端部には、前記受け面部から下方に傾斜して前記位置決め突起を前記切欠き部に案内する傾斜面部が設けられた空気調和装置の室外機。
【請求項２】
前記傾斜面部は、前記位置決め突起が前記切欠き部に差し込まれて前記電装品ユニットの固定位置が前記仕切板の上部に定まった状態で前記位置決め突起の根元部と接触する請求項１に記載の空気調和装置の室外機。
【請求項３】
前記受け面部および前記傾斜面部を有する前記仕切板は、１つの板金から構成され、
前記受け面部は、前記仕切板の上部を折り曲げて形成され、
前記傾斜面部は、前記受け面部の一部を切断して下方に折り曲げられた請求項１または２に記載の空気調和装置の室外機。
【請求項４】
前記傾斜面部は、前記切欠き部を中心に両側に前記受け面部の一部を切断して一対形成された請求項３に記載の空気調和装置の室外機。
【請求項５】
前記位置決め突起は、前記ホルダーの前記制御基板を保持する本体部との間に隙間を有し、
前記切欠き部に隣接する前記仕切板の上端部は、前記位置決め突起が前記切欠き部に差し込まれて前記電装品ユニットの固定位置が前記仕切板の上部に定まったときに、前記隙間に入り込む請求項１〜４のいずれか１項に記載の空気調和装置の室外機。
【請求項６】
前記位置決め突起は、Ｖ字状である請求項１〜５のいずれか１項に記載の空気調和装置の室外機。
【請求項７】
前記位置決め突起が前記切欠き部に差し込まれて前記電装品ユニットの固定位置が前記仕切板の上部に定まった状態でネジ固定するネジ固定部を有する請求項１〜６のいずれか１項に記載の空気調和装置の室外機。
【請求項８】
前記ホルダーの前記制御基板を保持する本体部は、前記位置決め突起が前記受け面部および前記傾斜面部で前記切欠き部に案内されるときに、前記仕切板に接触する請求項３〜７のいずれか１項に記載の空気調和装置の室外機。
【発明の詳細な説明】
【技術分野】
【０００１】
本発明は、電装品ユニットの固定位置を定めて電装品ユニットを組み付ける空気調和装置の室外機に関する。
【背景技術】
【０００２】
従来の空気調和装置の室外機では、電装品ユニットを組付ける場合に、仕切板に設けられた挿入孔に電装品ユニットのカバーの突起部を挿入することにより電装品ユニットが位置決めされていた。そして、電装品ユニットが空気調和装置の室外機の上部からネジ固定されていた（たとえば、特許文献１参照）。
【先行技術文献】
【特許文献】
【０００３】
【特許文献１】特開２００５−１４７４６６号公報
【発明の概要】
【発明が解決しようとする課題】
【０００４】
空気調和装置の室外機では、一般的に電装品ユニットは、冷媒配管の結露水あるいは運転時に生じるドレン水の滴下などによるトラブルを避けるため、空気調和装置の室外機の上部に配置されている。しかし、近年の冷暖房能力拡大に伴う空気調和装置の室外機の大型化は、容量大型化を目的とした熱交換器の段数増加により室外機高さが高くなることを招いている。【０００５】
その結果、空気調和機の室外機を組み立てる製造時に、空気調和装置の室外機が作業テーブル上に載せられると、電装品ユニットの組み付け位置が作業者にとって目視確認し難い程高くなり、作業者が電装品ユニットの固定位置を定め難かった。このため、作業者が電装品ユニットの組み付けを確実に行うために、作業者がネジ孔を目視確認できる高さまで踏み台に乗る必要が生じるおそれもある。これにより、製造時の作業効率が悪化していた。【０００６】
本発明は、上記課題を解決するためのものであり、電装品ユニットの組み付け時に電装品ユニットの固定位置が容易に定まり、製造時の作業効率が向上する空気調和装置の室外機を提供することを目的とする。
【課題を解決するための手段】
【０００７】
本発明に係る空気調和装置の室外機は、ファンが設けられたファン室と圧縮機が設けられた機械室とが形成され、前記ファン室と前記機械室とに区画する仕切板と、電装品を搭載した制御基板および前記制御基板を保持して前記仕切板の上部に固定されるホルダーを有する電装品ユニットと、を備え、前記仕切板には、上部に前記ホルダーを受ける平面状の受け面部が設けられ、前記ホルダーには、下向きに突出した位置決め突起が設けられ、前記受け面部には、前記位置決め突起が差し込まれる切欠き部が形成され、前記受け面部の前記切欠き部に至る端部には、前記受け面部から下方に傾斜して前記位置決め突起を前記切欠き部に案内する傾斜面部が設けられたものである。
【発明の効果】
【０００８】
本発明に係る空気調和装置の室外機によれば、受け面部の切欠き部に至る端部には、受け面部から下方に傾斜して位置決め突起を切欠き部に案内する傾斜面部が設けられた。これにより、位置決め突起が傾斜面部で切欠き部にスムーズに案内されて位置決め突起が切欠き部に位置決めできる。したがって、電装品ユニットの組み付け時に電装品ユニットの固定位置が容易に定まり、製造時の作業効率が向上できる。
【図面の簡単な説明】
【０００９】
【図１】本発明の実施の形態１に係る空気調和装置の室外機の外観を示す斜視図である。
【図２】本発明の実施の形態１に係る空気調和装置の室外機の内部を示す分解斜視図である。
【図３】本発明の実施の形態１に係る電装品ユニットを後側から見て示す斜視図である。
【図４】本発明の実施の形態１に係る電装品ユニットを後側から見て示す分解斜視図である。
【図５】本発明の実施の形態１に係る基板固定枠を後側から見て示す斜視図である。
【図６】本発明の実施の形態１に係る基板固定枠を示す図５のＡ−Ａ断面の説明図である。
【図７】本発明の実施の形態１に係る仕切板を後側から見て示す斜視図である。
【図８】本発明の実施の形態１に係る仕切板の上部を後側から拡大して示す背面図である。
【図９】本発明の実施の形態１に係る仕切板の傾斜面部のモデルを示す図である。
【図１０】本発明の実施の形態１に係るヒートシンク固定板金を示す斜視図である。
【図１１】本発明の実施の形態１に係る位置決め突起を受け面部でスライドさせた状態を後側から見て示す背面図である。
【図１２】本発明の実施の形態１に係る位置決め突起を切欠き部に差し込んだ状態を後側から見て示す背面図である。
【図１３】本発明の実施の形態１に係る位置決め突起を切欠き部に差し込んだ状態を示す図１２のＢ−Ｂ断面の説明図である。
【図１４】本発明の実施の形態１に係る電装品ユニットを仕切板に組み付けた状態を示す斜視図である。
【発明を実施するための形態】
【００１０】
以下、本発明における空気調和装置の室外機について、図面を用いて説明する。なお、以下の図面では各構成部材の大きさの関係が実際のものとは異なる場合がある。また、以下の図面において、同一の符号を付したものは、同一またはこれに相当するものであり、このことは明細書の全文において共通することとする。さらに、明細書全文に表わされている構成要素の形態は、あくまでも例示であって、これらの記載に限定されるものではない。
【００１１】
実施の形態１．
図１は、本発明の実施の形態１に係る空気調和装置の室外機１００の外観を示す斜視図である。図２は、本発明の実施の形態１に係る空気調和装置の室外機１００の内部を示す分解斜視図である。図１、図２に示すように、空気調和装置の室外機１００の外郭は、前面板１、側面板２、天面板３および保護カバー４で覆われている。空気調和装置の室外機１００の内部には、ファン室５と機械室６とが形成されている。ファン室５と機械室６とは、立設した仕切板７によって分けられて区画されている。空気調和装置の室外機１００の内部の各部品は、脚部８を有する底板９の底面上に保持されている。
【００１２】
ファン室５には、熱交換器１０、熱交換器１０の前方に配置されるプロペラファン１１、プロペラファン１１を取り付けたモーター１２、およびモーター１２を保持するモーター取付台１３が設けられている。
【００１３】
プロペラファン１１が動作することにより、熱交換器１０を通過して空気調和装置の室外機１００の内部に後方および左方から空気が流入する。空気調和装置の室外機１００の内部に流入した空気は、熱交換器１０を通風方向に流れてプロペラファン１１を通過し、空気調和装置の室外機１００の前方に流出する。これにより、たとえば冷房運転中には、熱交換器１０内の冷媒が流入する空気と熱交換することにより冷却され、熱交換器１０を通過した空気が冷媒との熱交換後に加熱される。また、たとえば暖房運転中には、熱交換器１０内の冷媒が流入する空気と熱交換することにより加熱され、熱交換器１０を通過した空気が冷媒との熱交換後に冷却される。
【００１４】
機械室６には、圧縮機１４、冷媒配管１５、電装品ユニット１６および電源板１７が設けられている。図示しない室内機から送られる冷媒は、圧縮機１４にて圧縮され、冷媒配管１５を通り、熱交換器１０に送られる。電装品ユニット１６は、空気調和装置を制御する電装品を搭載した制御基板１８を有し、各部品への電力供給などを行う。電装品ユニット１６は、概略上下方向に薄い直方体形状である。電源板１７は、電源から制御基板１８に電気を引き込む。電源板１７には、空気調和装置の室外機１００と図示しない室内機とを通信線で接続する端子台１９がネジ固定されている。
【００１５】
図３は、本発明の実施の形態１に係る電装品ユニット１６を後側から見て示す斜視図である。図４は、本発明の実施の形態１に係る電装品ユニット１６を後側から見て示す分解斜視図である。図３、図４に示すように、電装品ユニット１６には、制御基板１８を保持する基板固定枠２０および基板固定枠２０の上方を覆って制御基板１８を保護する基板保護板金２１を備えている。また、制御基板１８には、排熱を補助するためのヒートシンク２２が組み付けられている。ヒートシンク２２は、ヒートシンク固定板金２３により基板固定枠２０の下部に固定されている。ここで、基板固定枠２０が本発明のホルダーに相当する。
【００１６】
図５は、本発明の実施の形態１に係る基板固定枠２０を後側から見て示す斜視図である。図６は、本発明の実施の形態１に係る基板固定枠２０を示す図５のＡ−Ａ断面の説明図である。図５、図６に示すように、基板固定枠２０の背面には、空気調和装置の室外機１００の組立時に仕切板７と接触する接触面部２４を有している。ここで、基板固定枠２０の接触面部２４までの制御基板１８を保持する部分が本体部２５を構成している。
【００１７】
基板固定枠２０の背面には、接触面部２４と隙間２６を介して設けられる下向きに突出した下向き凸形状のＶ字状の位置決め突起２７を有している。位置決め突起２７は、断面Ｖ字状であり、Ｖ字状の断面が前後方向に有限幅をもって形成されている。位置決め突起２７が有限幅を有することにより、先端部で後述の受け面部２９および傾斜面部３２に線接触して安定してスライドできる。位置決め突起２７は、上部の根元部を本体部２５から後側に突出させるリブ２８により接続され、基板固定枠２０の制御基板１８を保持する本体部２５との間に前後方向に間隔が空く隙間２６を有している。なお、位置決め突起２７は、Ｖ字状以外の形状で設けることができ、たとえばＵ字状などでもよい。また、位置決め突起２７は、前後方向に有限幅を有しない半球状の先端を有するものでもよい。
【００１８】
図７は、本発明の実施の形態１に係る仕切板７を後側から見て示す斜視図である。図８は、本発明の実施の形態１に係る仕切板７の上部を後側から拡大して示す背面図である。図７、図８に示すように、立った仕切板７の上部には、基板固定枠２０を受ける平面状の受け面部２９が設けられている。受け面部２９は、基板固定枠２０のリブ２８と接触し、電装品ユニット１６が仕切板７に支持される。このため、受け面部２９は、リブ２８と重ねられるほぼ同形状である。また、受け面部２９は、電装品ユニット１６の組み付け時に基板固定枠２０の位置決め突起２７が接触してスライドする。なお、立った仕切板７の前方に折れ曲がった部分の上部には、前後方向に基板固定枠２０を受ける平面状の支持面部３０が設けられている。
【００１９】
受け面部２９には、途中部分に、位置決め突起２７が差し込まれる切欠き部３１が設けられている。切欠き部３１は、空間となっており、受け面部２９と基板固定枠２０のリブ２８とが接触したときに、位置決め突起２７を下方に突き出させる。
【００２０】
受け面部２９の切欠き部３１に至る端部には、受け面部２９から下方に傾斜して位置決め突起２７を切欠き部３１に案内する傾斜面部３２が設けられている。傾斜面部３２は、受け面部２９から斜め下向きに折り曲げられている。傾斜面部３２は、切欠き部３１を中心に左右両側に一対形成されている。傾斜面部３２は、傾斜角度が位置決め突起２７のＶ字状の有限幅の側面に沿った角度となっている。このため、傾斜面部３２は、位置決め突起２７が切欠き部３１に差し込まれて電装品ユニット１６の固定位置が仕切板７の上部に定まった状態で位置決め突起２７の根元部と接触する。
【００２１】
図７に示すように、受け面部２９および傾斜面部３２を有する仕切板７は、１つの板金から構成されている。受け面部２９は、立設した仕切板７の上部を折り曲げて形成されている。傾斜面部３２は、仕切板７から受け面部２９の一部を受け面部２９の折り曲げ箇所にて切断して下方に折り曲げられている。切欠き部３１に隣接する仕切板７の上端部３３は、受け面部２９とほぼ同一の高さを有している。
【００２２】
図９は、本発明の実施の形態１に係る仕切板７の傾斜面部３２のモデルを示す図である。図９に示すように、傾斜面部３２と切欠き部３１との左右水平方向の長さを２ｌと定義する。この場合には、切欠き部３１の左右中心線に線対称な一対の傾斜面部３２は、２ｌの半分の最大長さｌで形成できる。なお、傾斜面部３２は、左右の一対の長さが異なってもよい。また、傾斜面部３２は、一方側を最大長さｌより長く形成し、他方側を短く形成してもよい。また、傾斜面部３２は、一対の両方の長さが最大長さｌより短く形成してもよい。また、傾斜面部３２は、一方のみ形成してもよい。
【００２３】
図１０は、本発明の実施の形態１に係るヒートシンク固定板金２３を示す斜視図である。図１０に示すように、ヒートシンク固定板金２３は、前方部に、位置決め突起２７が切欠き部３１に差し込まれて電装品ユニット１６の固定位置が仕切板７の上部に定まった状態でネジ固定するネジ固定部３４を有している。ネジ固定部３４を仕切板７とネジ固定することにより、電装品ユニット１６が仕切板７に固定される。ネジ固定部３４は、たとえばネジ孔である。仕切板７は、ネジ固定部３４をネジ固定する図示しないネジ固定部を有しており、位置決め突起２７が切欠き部３１に差し込まれて電装品ユニット１６の固定位置が仕切板７の上部に定まった状態でネジ固定部３４と仕切板７のネジ固定部とのネジ差し込み位置が一致する。
【００２４】
図１１は、本発明の実施の形態１に係る位置決め突起２７を受け面部２９でスライドさせた状態を後側から見て示す背面図である。図１２は、本発明の実施の形態１に係る位置決め突起２７を切欠き部３１に差し込んだ状態を後側から見て示す背面図である。図１３は、本発明の実施の形態１に係る位置決め突起２７を切欠き部３１に差し込んだ状態を示す図１２のＢ−Ｂ断面の説明図である。図１４は、本発明の実施の形態１に係る電装品ユニット１６を仕切板７に組み付けた状態を示す斜視図である。
【００２５】
電装品ユニット１６は、基板固定枠２０の位置決め突起２７の先端を仕切板７の受け面部２９に接触させる形で仮置きされる。この仮置きの状態では、基板固定枠２０の制御基板１８を保持する本体部２５の接触面部２４は、その後の位置決め突起２７が受け面部２９および傾斜面部３２で切欠き部３１に案内されるときも含めて、仕切板７の前側に接触している。そして、図１１に示すように、製造作業者が仮置き状態の電装品ユニット１６を空気調和装置の室外機１００の左右方向へスライドさせることにより、位置決め突起２７が受け面部２９および傾斜面部３２を経て切欠き部３１に滑り込む。図１２に示すように、位置決め突起２７は、切欠き部３１に差し込まれる。これにより、電装品ユニット１６の固定位置が定まる。図１３に示すように、切欠き部３１に隣接する仕切板７の上端部３３は、位置決め突起２７が切欠き部３１に差し込まれて電装品ユニット１６の固定位置が仕切板７の上部に定まったときに、基板固定枠２０の本体部２５と位置決め突起２７との間の隙間２６に入り込む。その後、電装品ユニット１６は、ヒートシンク固定板金２３に設けられたネジ固定部３４にて仕切板７に水平方向にネジ固定される。これにより、図１４に示すような電装品ユニット１６を仕切板７に組み付けた状態が完成する。
【００２６】
実施の形態１によれば、空気調和装置の室外機１００は、プロペラファン１１が設けられたファン室５と圧縮機１４が設けられた機械室６とが形成されている。空気調和装置の室外機１００は、ファン室５と機械室６とに区画する立設した仕切板７を備えている。空気調和装置の室外機１００は、空気調和装置を制御する電装品を搭載した制御基板１８および制御基板１８を保持して仕切板７の上部に固定される基板固定枠２０を有する電装品ユニット１６を備えている。仕切板７には、上部に基板固定枠２０を受ける平面状の受け面部２９が設けられている。基板固定枠２０には、下向きに突出した位置決め突起２７が設けられている。受け面部２９には、位置決め突起２７が差し込まれる切欠き部３１が形成されている。受け面部２９の切欠き部３１に至る端部には、受け面部２９から下方に傾斜して位置決め突起２７を切欠き部３１に案内する傾斜面部３２が設けられている。
【００２７】
この構成によれば、位置決め突起２７が傾斜面部３２で切欠き部３１にスムーズに案内されて位置決め突起２７が切欠き部３１に位置決めできる。したがって、電装品ユニット１６の組み付け時に電装品ユニット１６の固定位置が容易に定まり、製造時の作業効率が向上できる。また、位置決め突起２７が傾斜面部３２で下方に案内されることにより、位置決め突起２７が切欠き部３１に位置決めされる際に電装品ユニット１６が位置決め突起２７の高さ分だけ落下して電装品ユニット１６に与える衝撃が緩和できる。このため、電装品ユニット１６に不具合が生じ難く電装品ユニット１６が組み付けできる。
【００２８】
実施の形態１によれば、傾斜面部３２は、位置決め突起２７が切欠き部３１に差し込まれて電装品ユニット１６の固定位置が仕切板７の上部に定まった状態で位置決め突起２７の根元部と接触する。
【００２９】
この構成によれば、傾斜面部３２が位置決め突起２７の根元部と接触し、位置決め突起２７が切欠き部３１に安定して位置決めできる。このため、電装品ユニット１６の固定位置が仕切板７の上部に精度良く定まり、位置決め後の電装品ユニット１６に対するネジ固定などの作業が素早く実施でき、製造時の作業効率が向上できる。
【００３０】
実施の形態１によれば、受け面部２９および傾斜面部３２を有する仕切板７は、１つの板金から構成されている。受け面部２９は、仕切板７の上部を折り曲げて形成されている。傾斜面部３２は、受け面部２９の一部を切断して下方に折り曲げられている。
【００３１】
この構成によれば、簡易な構成となって部品点数が削減でき、低コスト化が図れる。
【００３２】
実施の形態１によれば、傾斜面部３２は、切欠き部３１を中心に両側に受け面部２９の一部を切断して一対形成されている。
【００３３】
この構成によれば、位置決め突起２７が一対の傾斜面部３２で切欠き部３１を中心に両側のどちら側からでもスムーズに案内され、位置決め突起２７が切欠き部３１に位置決めできる。
【００３４】
実施の形態１によれば、位置決め突起２７は、基板固定枠２０の制御基板１８を保持する本体部２５との間に隙間２６を有している。切欠き部３１に隣接する仕切板７の上端部３３は、位置決め突起２７が切欠き部３１に差し込まれて電装品ユニット１６の固定位置が仕切板７の上部に定まったときに、隙間２６に入り込む。
【００３５】
この構成によれば、切欠き部３１に隣接する仕切板７の上端部３３が隙間２６に入り込み、電装品ユニット１６についての仕切板７から離間する前後方向のずれが防止できる。またこのとき、位置決め突起２７が切欠き部３１に差し込まれることにより、電装品ユニット１６についての左右方向および上下方向のずれも防止できる。このため、電装品ユニット１６の固定位置が仕切板７の上部に全方向に精度良く定まり、位置決め後の電装品ユニット１６に対するネジ固定などの作業が素早く実施でき、製造時の作業効率が向上できる。
【００３６】
実施の形態１によれば、位置決め突起２７は、Ｖ字状である。
【００３７】
この構成によれば、位置決め突起２７の下方の先端が受け面部２９および傾斜面部３２に接触する領域を低減できる。このため、位置決め突起２７が受け面部２９および傾斜面部３２に対しスムーズに移動できる。
【００３８】
実施の形態１によれば、位置決め突起２７が切欠き部３１に差し込まれて電装品ユニット１６の固定位置が仕切板７の上部に定まった状態でネジ固定するネジ固定部３４を有している。
【００３９】
この構成によれば、電装品ユニット１６の固定位置が仕切板７の上部に精度良く定まった後に電装品ユニット１６がネジ固定部３４で仕切板７に容易にネジ固定でき、製造時の作業効率が向上できる。
【００４０】
実施の形態１によれば、基板固定枠２０の制御基板１８を保持する本体部２５は、位置決め突起２７が受け面部２９および傾斜面部３２で切欠き部３１に案内されるときに、仕切板７に接触する。
【００４１】
この構成によれば、基板固定枠２０の制御基板１８を保持する本体部２５が仕切板７に接触せず、電装品ユニット１６が仕切板７から離間してしまい、位置決め突起２７が受け面部２９および傾斜面部３２に対して案内位置を定められないことが防止できる。このため、位置決め突起２７が受け面部２９および傾斜面部３２で切欠き部３１にスムーズに案内される。
【００４２】
なお、今回開示された実施の形態は全ての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００４３】
１  前面板、２  側面板、３  天面板、４  保護カバー、５  ファン室、６  機械室、７  仕切板、８  脚部、９  底板、１０  熱交換器、１１  プロペラファン、１２  モーター、１３  モーター取付台、１４  圧縮機、１５  冷媒配管、１６  電装品ユニット、１７  電源板、１８  制御基板、１９  端子台、２０  基板固定枠、２１  基板保護板金、２２  ヒートシンク、２３  ヒートシンク固定板金、２４  接触面部、２５  本体部、２６  隙間、２７  位置決め突起、２８  リブ、２９  受け面部、３０  支持面部、３１  切欠き部、３２  傾斜面部、３３  上端部、３４  ネジ固定部、１００  空気調和装置の室外機。
【図１】
2018104990.tif 000003
【図２】
2018104990.tif 000004
【図３】
2018104990.tif 000005
【図４】
2018104990.tif 000006
【図５】
2018104990.tif 000007
【図６】
2018104990.tif 000008
【図７】
2018104990.tif 000009
【図８】
2018104990.tif 000010
【図９】
2018104990.tif 000011
【図１０】
2018104990.tif 000012
【図１１】
2018104990.tif 000013
【図１２】
2018104990.tif 000014
【図１３】
2018104990.tif 000015
【図１４】
2018104990.tif 000016
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
ファンが設けられたファン室と圧縮機が設けられた機械室とが形成され、
前記ファン室と前記機械室とに区画する仕切板と、
電装品を搭載した制御基板および前記制御基板を保持して前記仕切板の上部に固定されるホルダーを有する電装品ユニットと、
を備え、
前記仕切板には、上部に前記ホルダーを受ける平面状の受け面部が設けられ、
前記ホルダーには、下向きに突出した位置決め突起が設けられ、
前記受け面部には、前記位置決め突起が差し込まれる切欠き部が形成され、
前記受け面部の前記切欠き部に至る端部には、前記受け面部から下方に傾斜して前記位置決め突起を前記切欠き部に案内する傾斜面部が設けられた空気調和装置の室外機。
【請求項２】
前記受け面部および前記傾斜面部を有する前記仕切板は、１つの板金から構成され、
前記受け面部は、前記仕切板の上部を折り曲げて形成され、
前記傾斜面部は、前記受け面部の一部を切断して下方に折り曲げられた請求項１に記載の空気調和装置の室外機。
【請求項３】
前記傾斜面部は、前記切欠き部を中心に両側に前記受け面部の一部を切断して一対形成された請求項２に記載の空気調和装置の室外機。
【請求項４】
前記位置決め突起は、Ｖ字状である請求項１〜３のいずれか１項に記載の空気調和装置の室外機。
【請求項５】
前記傾斜面部は、前記位置決め突起が前記切欠き部に差し込まれて前記電装品ユニットの固定位置が前記仕切板の上部に定まった状態で前記位置決め突起の根元部と接触する請求項１〜４のいずれか１項に記載の空気調和装置の室外機。
【請求項６】
前記位置決め突起は、前記ホルダーの前記制御基板を保持する本体部との間に隙間を有し、
前記切欠き部に隣接する前記仕切板の上端部は、前記位置決め突起が前記切欠き部に差し込まれて前記電装品ユニットの固定位置が前記仕切板の上部に定まったときに、前記隙間に入り込む請求項１〜５のいずれか１項に記載の空気調和装置の室外機。
【請求項７】
前記ホルダーの前記制御基板を保持する本体部の接触面部は、前記位置決め突起が前記受け面部および前記傾斜面部で前記切欠き部に接触して案内されるときを含み、前記仕切板に接触し、
前記位置決め突起の先端を前記受け面部に接触させた仮置き状態の前記電装品ユニットが左右方向にスライドされることにより、前記位置決め突起が前記受け面部および前記傾斜面部を経て前記切欠き部に滑り込む請求項１〜６のいずれか１項に記載の空気調和装置の室外機。
【国際調査報告】
2018104990.tif 000017
2018104990.tif 000018
2018104990.tif 000019
2018104990.tif 000020